(57)【要約】【課題】映像の一部が常に隠れて見にくくならないように現在の時刻を表示することができる映像表示装置を得る。【解決手段】現在時刻情報を生成する時計部２１と、入力映像信号及びＯＳＤ情報が入力され、前記ＯＳＤ情報に基づきＯＳＤ映像信号を生成し、該ＯＳＤ映像信号と、前記入力映像信号とを合成し、合成映像信号を生成する映像信号処理部３２と、前記合成映像信号を映像表示する表示部と、時刻情報を出力するトリガ信号が入力されたとき、映像信号処理部３２に前記現在時刻情報を時計部２１より取得させ、該現在時刻情報を前記ＯＳＤ情報として合成映像信号を生成させ、所定の時間前記表示部へ出力させるように制御する制御部２０とを備えた。【選択図】図１
2008107713.tif 000002
【特許請求の範囲】
【請求項１】
現在時刻情報を生成する時計部と、
入力映像信号及びオンスクリーンディスプレイ（以下、ＯＳＤと略す）情報が入力され、前記ＯＳＤ情報に基づきＯＳＤ映像信号を生成し、該ＯＳＤ映像信号と、前記入力映像信号とを合成し、合成映像信号を生成する映像信号処理部と、
前記合成映像信号を映像表示する表示部と、
時刻情報を出力するトリガ信号が入力されたとき、前記映像信号処理部に前記現在時刻情報を前記時計部より取得させ、該現在時刻情報を前記ＯＳＤ情報として合成映像信号を生成させ、所定の時間前記表示部へ出力させるように制御する制御部と
を備えたことを特徴とする映像表示装置。
【請求項２】
前記制御部は、
前記映像信号処理部に入力される前記入力映像信号の入力状態の変化、又は所定の操作信号を、前記時刻情報を出力するトリガ信号とすることを特徴とする請求項１記載の映像表示装置。
【請求項３】
キー操作に応じた操作信号を前記制御部に出力する操作部を備え、
前記制御部は、
前記操作部から入力された入力映像切り換え操作の操作信号、又はメニュー表示操作の操作信号を、前記時刻情報を出力するトリガ信号とすることを特徴とする請求項１又は２記載の映像表示装置。
【発明の詳細な説明】
【技術分野】
【０００１】
本発明は、映像表示装置に関し、特に、時刻表示に関する。
【背景技術】
【０００２】
従来の映像表示装置としては、例えば、「入力された画像データに基づいてディスプレイに画像を表示し、そのディスプレイ上の画像に光を照射してその画像を拡大投影するプロジェクタ装置において、時間を計測する計時手段と、この計時手段によって計測された時刻を前記ディスプレイに表示される画像に重ねて表示する画像重ね表示手段と、を一体に備えることを特徴とするプロジェクタ装置。」が提案されている（例えば、特許文献１参照）。
【０００３】
【特許文献１】特開平１０−２６７９９号公報（請求項１）
【発明の開示】
【発明が解決しようとする課題】
【０００４】
しかしながら、従来の映像表示装置は、ディスプレイ上の画像に、常に時刻表示させており、映像の一部が時刻表示によって常に隠れてしまうので映像が見にくくなる、という問題点があった。
また、時計表示をリモコンなどのキー操作により時刻表示を消去する場合、その都度、時刻表示を消去する操作を行う必要があり、操作が面倒である、という問題点があった。
【０００５】
本発明は、このような問題点を解決するためになされたものであり、映像の一部が常に隠れて見にくくならないように現在の時刻を表示することができ、操作性の良い、映像表示装置を得ることを目的とする。
【課題を解決するための手段】
【０００６】
本発明に係る映像表示装置は、現在時刻情報を生成する時計部と、入力映像信号及びオンスクリーンディスプレイ（以下、ＯＳＤと略す）情報が入力され、前記ＯＳＤ情報に基づきＯＳＤ映像信号を生成し、該ＯＳＤ映像信号と、前記入力映像信号とを合成し、合成映像信号を生成する映像信号処理部と、前記合成映像信号を映像表示する表示部と、時刻情報を出力するトリガ信号が入力されたとき、前記映像信号処理部に前記現在時刻情報を前記時計部より取得させ、該現在時刻情報を前記ＯＳＤ情報として合成映像信号を生成させ、所定の時間前記表示部へ出力させるように制御する制御部とを備えたものである。
本発明においては、時刻情報を出力するトリガ信号が入力されたとき、現在時刻情報をＯＳＤ情報として合成映像信号を生成して、所定の時間表示部へ出力しており、このため、所定の時間経過後に時刻表示が消去されて、映像の一部が常に隠れて見にくくならず、また、時刻表示を消去する面倒な操作を行う必要がなく操作性が向上する。
【０００７】
本発明に係る映像表示装置においては、前記制御部は、前記映像信号処理部に入力される前記入力映像信号の入力状態の変化、又は所定の操作信号を、前記時刻情報を出力するトリガ信号とする。
本発明においては、入力映像信号の入力状態の変化又は所定の操作信号が入力されたとき、現在時刻情報をＯＳＤ情報として合成映像信号を生成して、所定の時間表示部へ出力しており、このため、入力映像信号の入力状態が変化したとき又は所定の操作がされたとき、現在時刻を確認することができる。
【０００８】
本発明に係る映像表示装置においては、キー操作に応じた操作信号を前記制御部に出力する操作部を備え、前記制御部は、前記操作部から入力された入力映像切り換え操作の操作信号、又はメニュー表示操作の操作信号を、前記時刻情報を出力するトリガ信号とする。
本発明においては、操作部から入力映像切り換え操作の操作信号又はメニュー表示操作の操作信号が入力されたとき、現在時刻情報をＯＳＤ情報として合成映像信号を生成して、所定の時間表示部へ出力しており、このため、入力切り換え操作がされたとき、又はメニュー操作中に現在時刻を確認することができる。
【発明を実施するための最良の形態】
【０００９】
実施の形態１．
図１は実施の形態１に係るプロジェクタの構成を示すブロック図、図２は実施の形態１に係る操作パネルの構成を示す図である。図に示すように、映像表示装置であるプロジェクタ１は、光源１１と、液晶ライトバルブ１２Ｒ，１２Ｇ，１２Ｂ（以下、区別しない場合は単に「液晶ライトバルブ１２」という）と、投写光学系１３と、液晶ライトバルブ駆動部１４と、制御部２０と、時計部２１と、映像入力部３１と、映像信号処理部３２と、フレームメモリ３３と、台形歪補正部３４と、フォーカス制御部４１と、ズーム制御部４２と、操作信号処理部４３と、操作パネル４４と、記憶部４５とを備えている。また、映像信号処理部３２には、ＯＳＤ（オンスクリーンディスプレイ）処理部３２０を有し、制御部２０には、演算部２０１を有している。このプロジェクタ１は、外部の映像供給装置２から供給される入力映像信号に応じた映像光を投射して、スクリーン、白壁又はホワイトボード等の被投写体（以下、これらをスクリーンＳＣと称する）に拡大投写するものである。
【００１０】
制御部２０は、時計部２１、映像信号処理部３２、台形歪補正部３４、フォーカス制御部４１、ズーム制御部４２、操作信号処理部４３及び記憶部４５と接続され、この制御部２０は、マイクロプロセッサ等により構成し、記憶部４５に記憶された制御プログラム等を実行して、プロジェクタ１の動作を統括制御し、制御部２０に接続された各部から入力される各種データを演算部２０１により演算するとともに、演算結果を前記各部に出力する。また、時刻情報を出力するトリガ信号として映像信号処理部３２に入力される入力映像信号の入力状態の変化又は所定の操作に応じて、後述する動作により、映像信号処理部３２に現在時刻情報を時計部２１より取得させ、現在時刻情報をＯＳＤ情報として合成映像信号を生成させ、所定の時間出力させるように制御する。
【００１１】
時計部２１は、例えばＲＴＣ（Ｒｅａｌ  Ｔｉｍｅ  Ｃｌｏｃｋ）により構成され、現在時刻情報を生成する。
【００１２】
映像入力部３１は、映像供給装置２と接続する複数の接続端子を備え、映像供給装置２から入力される、１又は複数の入力映像信号を取り込んで、それが例えばアナログ映像信号の場合にはデジタルの映像信号に変換する等の処理をし、映像信号処理部３２に出力する。尚、映像入力部３１が備える接続端子としては、例えば、ＲＧＢ端子、ＢＮＣ端子、Ｓ端子、ビデオ端子、ＤＶＩ端子などを備え、パーソナルコンピュータや各種ビデオ機器などと接続される。
【００１３】
映像信号処理部３２は、映像供給装置２から１又は複数の入力映像信号が入力され、入力映像切り換え操作（後述）により、任意の入力映像信号が選択される。この映像信号処理部３２は、マイクロプロセッサ等により構成し、当該映像信号処理部３２に格納したプログラムを実行することにより、選択された入力映像信号を１フレーム（１画面）毎にフレームメモリ３３に記憶させると共に、フレームメモリ３３に記憶された映像（以下、フレーム映像ともいう）を読み出す機能を有している。そして、入力映像信号の解像度を液晶ライトバルブ１２の解像度に合わせる解像度変換や、操作信号処理部４３からの操作信号（後述）に応じて、色合い、輝度、コントラストなどの各種映像処理を施してデジタルの映像データを生成することにより、入力映像信号を変換して投写映像用の映像信号である映像データを生成する。尚、入力される入力映像信号としては、例えば、パーソナルコンピュータから出力されたコンピュータ映像を表すＲＧＢ信号や、ビデオレコーダやテレビジョン受信機から出力された動画を表すコンポジット映像信号などの映像信号が供給される。
【００１４】
また、映像信号処理部３２のＯＳＤ処理部３２０は、制御部２０から入力されるＯＳＤ情報に基づき、プロジェクタ１の各種状態を表す文字や記号、画質調整等を行う際のメニュー映像、台形歪補正量の表示、現在時刻の表示（後述）などのＯＳＤ映像信号を生成し、このＯＳＤ映像信号と入力映像信号とを成した合成映像信号である映像データを生成する。尚、ＯＳＤ映像を表示しない場合には、上記合成処理を行わず、フレームメモリ３３から読み出したフレーム映像が、そのまま映像データとして液晶ライトバルブ駆動部１４に供給される。
【００１５】
台形歪補正部３４は、スクリーンＳＣの投写面に対してプロジェクタ１から射出される投写光を傾けた状態で投写（あおり投写）した場合に生じる台形歪を是正するために、制御部２０から与えられた補正量に応じて、入力された映像データの補正を行い、補正した映像データを液晶ライトバルブ駆動部１４に出力する。尚、台形歪が生じていない場合には、前記補正を行わず、映像信号処理部３２から出力された映像データがそのまま液晶ライトバルブ駆動部１４に供給される。
【００１６】
液晶ライトバルブ駆動部１４は、入力された映像データに応じて、液晶ライトバルブ１２を駆動する。液晶ライトバルブ１２は、３枚の液晶ライトバルブ１２Ｒ，１２Ｇ，１２Ｂから構成され、それぞれ、複数の画素（図示せず）がマトリクス状に形成されており、液晶ライトバルブ駆動部１４により各画素の透過率が調整されることにより、光源１１から射出され、色光分離光学系（図示せず）によって各色光に分離された、Ｒ（赤）、Ｇ（緑），Ｂ（青）の各色光を対応する液晶ライトバルブ１２Ｒ，１２Ｇ，１２Ｂによって変調する。液晶ライトバルブ１２Ｒ，１２Ｇ，１２Ｂから射出される映像光は、クロスダイクロイックプリズム（図示せず）などの合成光学系により合成され投写光学系１３によってスクリーンＳＣ上に拡大投写される。また、投写光学系１３には、投写光の焦点を変更可能なフォーカス機構と、投写光の拡大率を変更可能なズーム機構とが備えられている。
【００１７】
フォーカス制御部４１は、制御部２０からの指示に従って、投写光学系１３のフォーカス機構を構成するフォーカスレンズを光軸方向に移動させることにより、フォーカス状態を調整することが可能になっている。また、フォーカス制御部４１は、フォーカスの調整量、即ちフォーカスレンズの移動量（フォーカス量）を検知することも可能になっており、検知したフォーカス量を制御部２０に出力することができる。
【００１８】
ズーム制御部４２は、制御部２０からの指示に従って、投写光学系１３のズーム機構を構成するズームレンズを光軸方向に移動させて焦点距離を変更することにより、スクリーンＳＣ上に表示される映像の拡大率を変更することが可能になっている。また、ズーム制御部４２は、焦点距離、即ちズームレンズの移動量（ズーム量）を検知するズーム量検知部としても機能し、検知したズーム量を制御部２０に出力することができる。
【００１９】
操作パネル４４は、図２に示すように、入力映像切り換え操作を行う入力切換キー４４１、画質調整等の操作を行うメニュー映像を表示させるメニュー表示操作を行うメニューキー４４２、メニュー映像での項目選択操作を行う選択キー４４３、及びプロジェクタ１の状態変更等を行うための各種スイッチ類を有し、ユーザによるキー操作に応じた操作信号を操作信号処理部４３に出力する。また、リモートコントローラ（以下、単に「リモコン」と呼ぶ）ＲＣは、プロジェクタ１の状態変更等を行うための各種スイッチ類を有し、ユーザによるキー操作に応じた操作信号を操作信号処理部４３に出力する。
操作信号処理部４３は、操作パネル４４又はリモコンＲＣからのキー操作に応じた操作信号を受信し、これを制御部２０に出力する。
【００２０】
記憶部４５は、制御部２０が実行する制御プログラム、画質調整等を行う際のメニュー映像や、台形歪補正量の表示などのＯＳＤ映像を生成するためのＯＳＤ情報が記憶されている。
【００２１】
尚、制御部２０及び演算部２０１は本発明における制御部に相当し、映像信号処理部３２及びＯＳＤ処理部３２０は本発明における映像信号処理部に相当し、液晶ライトバルブ駆動部１４、液晶ライトバルブ１２及び投写光学系１３は本発明における表示部に相当し、操作信号処理部４３及び操作パネル４４は本発明における操作部に相当する。
【００２２】
図３は実施の形態１に係る時刻表示動作を示すフローチャート、図４は実施の形態１に係る投写映像の時刻表示を示す図、図５は実施の形態１に係る投写映像の時刻表示を示す図である。図４は、入力映像信号の入力状態が、有から無に変化したときの投写映像の遷移を示しており、図５は、入力映像信号の入力状態が無から有に変化したときの投写映像の遷移を示している。以下、本実施の形態における時刻表示動作を図３に基づき、図４及び図５を参照しながら説明する。
【００２３】
まず、ユーザは入力切換キー４４１を操作して入力映像切り換え操作を行い、映像供給装置２から入力される複数の入力映像信号のうち、所望の入力映像信号を選択する。制御部２０は、入力された操作信号に応じて、映像信号処理部３２に対し、選択された入力映像信号を変換して投写映像用の映像データの生成を指示する。また、入力映像信号の信号入力がないときは、制御部２０は、ＯＳＤ処理部３２０に対しその旨を示す所定のメッセージ、例えば「Ｎｏ  Ｓｉｇｎａｌ」などのＯＳＤ映像と合成した映像データを生成させる。映像信号処理部３２により生成した映像データは、液晶ライトバルブ駆動部１４へ入力され、液晶ライトバルブ駆動部１４は、入力された映像データに応じて、液晶ライトバルブ１２を駆動する。液晶ライトバルブ１２は、液晶ライトバルブ駆動部１４により各画素の透過率が調整されることにより、光源１１の光を変調して映像光を射出する。この映像光は、投写光学系１３を介してスクリーンＳＣに投射され、図４（ａ）に示すように、入力映像信号に応じた映像１１０が、又は図５（ａ）に示すように、入力映像信号の入力がない旨のメッセージ１１１が投写映像Ｇ１に拡大投写される。
【００２４】
このような状態において、映像信号処理部３２に入力される入力映像信号の入力状態が、有から無、又は無から有に変化したとき、即ち、映像供給装置２からの入力映像信号の信号入力が、入力されている状態から入力されていない状態に変化したとき、又は、入力されていない状態から入力されている状態に変化したとき、制御部２０は、時刻情報を出力するトリガ信号として入力映像信号の入力状態の変化を検出し（Ｓ１０１）、時刻表示動作を開始する。
制御部２０は、映像信号処理部３２に時計部２１から現在時刻情報を、逐次、ＯＳＤ情報として取得させ、映像信号処理部３２は、取得した現在時刻情報に基づいて、現在時刻を表示するＯＳＤ映像と、入力映像信号による映像とを合成した映像データを生成して出力する（Ｓ１０２）。この映像データは、上述と同様に、映像データに応じた映像光が投写光学系１３を介して射出され、図４（ｂ）又は図５（ｂ）に示すように、現在時刻表示１００が投写映像Ｇ１に投写される。
次に、制御部２０は、所定の時間（例えば１０秒）が設定された表示タイマのカウントを開始し（Ｓ１０３）、所定の時間が経過するまでに、操作パネル４４又はリモコンＲＣの操作キーのうち、何れかの操作キーの操作信号が入力されたか否かを判断し（Ｓ１０４）、操作キーの操作信号が入力された場合、又は、所定の時間経過したとき、制御部２０は、映像信号処理部３２に時刻情報を表示するＯＳＤ映像の生成を停止させ（Ｓ１０６）、時刻表示動作を終了する（Ｓ１０７）。このような動作により、所定の時間経過後、図４（ｃ）又は図５（ｃ）に示すように、現在時刻表示１００の表示が消去される。
【００２５】
以上のように本実施の形態１においては、入力映像信号の入力状態が有から無、又は無から有に変化したとき、所定の時間の間、現在時刻を表示させており、このため、映像表示装置であるプロジェクタで映画など映像の視聴を開始又は終了した後や、プレゼンテーションを開始又は終了した後、現在時刻を確認することができる。また、所定の時間経過後に時刻表示が消去されるので、映像の一部が常に隠れて見にくくなることもなく、時刻表示を消去する面倒な操作を行う必要がないので操作性が向上する。
【００２６】
尚、上記説明では、入力映像信号の入力状態が変化したとき、時刻表示動作を開始させたが、これに限らず、時刻情報を出力するトリガ信号として入力切換キー４４１による入力映像切り換え操作の操作信号が制御部２０に入力されたとき、時刻表示動作を開始させても良い。
【００２７】
実施の形態２．
本実施の形態２においては、上記実施の形態１の動作に加え、時刻情報を出力するトリガ信号としてメニューキー４４２の操作により時刻表示動作を行う。尚、その他の動作及び構成は実施の形態１と同様である。
【００２８】
図６は実施の形態２に係るメニュー表示動作を示すフローチャート、図７は実施の形態２に係る投写映像の時刻表示を示す図である。以下、本実施の形態における時刻表示動作を図６に基づき、図７を参照しながら説明する。
ユーザにより操作パネル４４のメニューキー４４２が押下されると、操作信号処理部４３は、メニュー表示操作の操作信号を受信し、この操作信号を制御部２０へ入力する。制御部２０は、入力されたメニュー表示操作の操作信号によりメニュー表示動作を開始し（Ｓ２０１）、記憶部４５に記録されたメニュー映像に関するＯＳＤ情報を映像信号処理部３２に出力すると共に、映像信号処理部３２に時計部２１から現在時刻情報をＯＳＤ情報として取得させ、映像信号処理部３２は、入力されたメニュー映像に関する情報及び取得した現在時刻情報に基いて、例えば図７に示すような、現在時刻表示１００及びメニュー映像１２０のＯＳＤ映像信号を生成し、このＯＳＤ映像信号と入力映像信号とを合成した映像データを生成する。この映像データは、上述と同様に、映像データに応じた映像光が投写光学系１３を介して射出され、図７に示すように、現在時刻表示１００及びメニュー映像１２０が投写映像Ｇ１に投写される（Ｓ２０２）。
【００２９】
次に、制御部２０は、所定の時間（例えば１０秒）が設定された表示タイマのカウントを開始し（Ｓ２０３）、所定の時間が経過するまでに、メニューキー４４２の操作によりメニュー表示を終了させる操作信号が入力されたか否かを判断し（Ｓ２０４）、メニュー表示を終了させる操作信号が入力されるまで、映像信号処理部３２に時計部２１から現在時刻情報を、逐次、ＯＳＤ情報として取得させ、現在時刻表示１００の投写を繰り返す（Ｓ２０２）。
一方、メニュー表示を終了させる操作信号が入力されたとき、又は、所定の時間経過したとき、制御部２０は、映像信号処理部３２に時刻情報を表示するＯＳＤ映像の生成を停止させると共に、メニュー映像信号と入力映像信号との合成処理を停止させて、メニュー映像１２０及び現在時刻表示１００の表示を消去させて（Ｓ２０６）、メニュー表示動作を終了する（Ｓ２０７）。このような動作により、メニュー操作を行う際に、メニュー映像１２０と共に現在時刻表示１００が表示される。
【００３０】
以上のように本実施の形態２においては、上記実施の形態１の効果に加え、操作信号処理部４３からメニュー表示操作の操作信号が入力されたとき、現在時刻情報をＯＳＤ情報として現在時刻表示１００を表示させることにより、メニュー操作中に現在時刻を確認することができる。
【００３１】
尚、上記実施の形態１及び２では、操作パネル４４のキー操作による動作について説明したが、本発明はこれに限らず、リモコンＲＣに同様の操作キーを設けて操作信号を操作信号処理部４３に送信しても良い。
【００３２】
また、上記実施の形態１及び２では、入力切換キー４４１又はメニューキー４４２の操作により、時刻表示を行う動作について説明したが、本発明はこれに限らず、任意の操作キーの操作により、時刻表示をさせても良い。
【００３３】
また、上記実施の形態１及び２では、液晶ライトバルブ１２を用いて、光源１１から射出された光を変調したが、本発明はこれに限らず、他の空間光変調器を用いても良く、例えば、半導体基板の上に敷き詰められた微小面積のミラーの傾きを映像データに基いて制御することによって映像を投写するＤＭＤ（Ｄｉｇｉｔａｌ  Ｍｉｃｒｏ  Ｍｉｒｒｏｒ  Ｄｅｖｉｃｅ：登録商標）を用いても良い。
【００３４】
また、上記実施の形態１及び２では、映像表示装置としてプロジェクタを説明したが、本発明はこれに限定するものではなく、外部の映像供給装置から入力された映像を表示部に表示する映像表示装置であれば良い。例えば、ＣＲＴディスプレイ、液晶パネル（ＬＣＤ）、プラズマディスプレイ（ＰＤＰ）、有機ＥＬディスプレイなどを備えた、パーソナルコンピュータ、液晶テレビ、プラズマテレビなどでも良い。
【図面の簡単な説明】
【００３５】
【図１】実施の形態１に係るプロジェクタの構成を示すブロック図である。
【図２】実施の形態１に係る操作パネルの構成を示す図である。
【図３】実施の形態１に係る時刻表示動作を示すフローチャートである。
【図４】実施の形態１に係る投写映像の時刻表示を示す図である。
【図５】実施の形態１に係る投写映像の時刻表示を示す図である。
【図６】実施の形態２に係るメニュー表示動作を示すフローチャートである。
【図７】実施の形態２に係る投写映像の時刻表示を示す図である。
【符号の説明】
【００３６】
１  プロジェクタ、２  映像供給装置、１１  光源、１２Ｒ  液晶ライトバルブ、１２Ｇ  液晶ライトバルブ、１２Ｂ  液晶ライトバルブ、１３  投写光学系、１４  液晶ライトバルブ駆動部、２０  制御部、２１  時計部、３１  映像入力部、３２  映像信号処理部、３３  フレームメモリ、３４  台形歪補正部、４１  フォーカス制御部、４２  ズーム制御部、４３  操作信号処理部、４４  操作パネル、４５  記憶部、１００  現在時刻表示、１１０  入力映像信号に応じた映像、１１１  入力映像信号の入力がない旨のメッセージ、１２０  メニュー映像、２０１  演算部、３２０  処理部、４４１  入力切換キー、４４２  メニューキー、４４３  選択キー、Ｇ１  投写映像、ＲＣ  リモコン、ＳＣ  スクリーン。
【図１】
2008107713.tif 000003
【図２】
2008107713.tif 000004
【図３】
2008107713.tif 000005
【図４】
2008107713.tif 000006
【図５】
2008107713.tif 000007
【図６】
2008107713.tif 000008
【図７】
2008107713.tif 000009